(57)【要約】【課題】底板レスの収納装置の剛性を確保しつつ、そのコストダウンを図り、戸当たり部の確保によって扉１３，１４の変位が生じないようにする。【解決手段】収納装置Ａは、底板がなくて前側及び下側に開口する収納本体１と、この収納本体１の前側の開口を開閉する左右両開きの揺動型の扉１３，１４とを備えている。左右の側板３，４の下端部の前端間に亘って延びるように連結部材２０が配置され、この連結部材２０は側板３，４の下端部に固定されている。連結部材２０は、側板３，４の前端面に当接する縦片２０ａと、側板３，４の下端面に当接する横片２０ｂとを有する断面Ｌ字状の長尺部材で、縦片２０ａ及び横片２０ｂが側板３，４にビス止めにより固定されている。縦片２０ａの前面には閉じ位置にある扉１３，１４の下端部に当接可能な戸当たり部２４が形成されている。【選択図】図２
2020108706.tif 000002
【特許請求の範囲】
【請求項１】
左右の側板、天板及び背板を有し、前側及び下側に開口する収納本体と、
上記収納本体の前側の開口を開閉する揺動型の扉と、
上記左右の側板の下端部の前端間に亘って延びるように配置され、該側板の下端部に固定された連結部材とを備え、
上記連結部材は、閉じ位置にある上記扉の下端部に当接可能な戸当たり部を有することを特徴とする収納装置。
【請求項２】
請求項１において、
連結部材は、側板の前端面に当接する縦片と、側板の下端面に当接する横片とを有する断面Ｌ字状の長尺部材であり、
上記縦片及び横片の少なくとも一方が側板に固定され、縦片の前面に戸当たり部が形成されていることを特徴とする収納装置。
【発明の詳細な説明】
【技術分野】
【０００１】
本発明は、収納装置に関する。
【背景技術】
【０００２】
一般に、箱型の収納装置（収納家具）は、その扉を除いた収納本体が左右の側板と上下の天板及び底板と背板とを備えており、それらを前側に開口する箱形状に組み立てた後に、収納本体の内部に固定棚や可動棚、仕切板を設置し、側板や仕切板に前側の開口を開放する扉を取り付けるようになっている。
【０００３】
このような箱型の収納装置の１例として、従来、例えば特許文献１に示されるように、収納本体のうち下部の底板をなくしたものが提案されている。このものでは、底板がないことにより、収納本体の内部空間を高い自由度で使用でき、例えば玄関に設置したときにベビーカーやゴルフバッグ等の縦長の物品であっても容易に収納することができる。また、底板の材料費等を抑えてコストダウンを図ることができる。
【０００４】
その反面、この収納装置は底板がないことにより、収納本体全体の剛性や強度が低下することは避けられない。そのため、特許文献１の収納装置では、収納本体下端面の側板後部と背板の左右端部との間に固定金具のＬ字状に折れ曲がった水平片を当接させ、水平片の内側部に起立した垂直片をそれぞれ側板内面と背板前面とにビス止めすることで、底板レスの収納本体全体の剛性や強度を確保するようにしている。
【先行技術文献】
【特許文献】
【０００５】
【特許文献１】特開２０１１−１０３９８９号公報
【発明の概要】
【発明が解決しようとする課題】
【０００６】
しかし、上記特許文献１のものでは、固定金具が水平片と垂直片とを有する特殊な構造であり、その製造コストが高く、収納装置のさらなるコストダウンの達成のためには不十分である。また、収納本体の前側開口を開閉する扉は、その閉じ位置で下端部に当たる部分がないので、経年変化等により扉に反りが生じた場合には、扉が本来の閉じ位置から変位してしまい、例えば左右両開きの扉では両扉が互いにずれ、そのことで外観見映えが低下する等の問題が生じる。これらのことから、特許文献１の技術に対して改良の余地があった。
【０００７】
本発明は斯かる諸点に鑑みてなされたものであり、その目的は、底板レスの収納装置の構造に工夫を凝らすことにより、底板レスの収納装置の剛性を確保しつつ、そのさらなるコストダウンを図り、戸当たり部の確保によって扉の変位が生じないようにすることにある。
【課題を解決するための手段】
【０００８】
上記の目的を達成するために、この発明では、収納本体の下端部後端の左右両側に特殊な固定金具を固定するのではなく、下端部前端の左右両側部間に連結部材を架け渡すことによって剛性を確保するようにした。
【０００９】
具体的には、第１の発明は、左右の側板、天板及び背板を有し、前側及び下側に開口する収納本体と、この収納本体の前側の開口を開閉する揺動型の扉と、左右の側板の下端部の前端間に亘って延びるように配置され、該側板の下端部に固定された連結部材とを備え、上記連結部材は、閉じ位置にある上記扉の下端部に当接可能な戸当たり部を有することを特徴とする。
【００１０】
この第１の発明では、収納本体は前側及び下側に開口していて、底板がないので、その内部空間を高い自由度で使用することができ、例えばベビーカーやゴルフバッグ等の背の高い縦長の物品であっても容易に収納することができる。また、底板がないことから、その材料費等を抑えて収納装置のコストダウンを図ることができる。
【００１１】
また、収納本体の左右の側板の下端部の前端間に亘って延びるように連結部材が配置され、その連結部材は側板の下端部に固定されているので、左右の側板は天板及び背板で連結されるだけでなく、下部が前端部で連結部材によっても連結されることになる。そのため、収納本体は、底板がなくても全体として底板があるのと同等の強度が得られるようになり、その剛性を確保することができる。
【００１２】
また、このような底板レスの収納本体の剛性を確保するために連結部材を用いるので、従来の特殊で高コストの固定金具を用いずとも済み、その分、収納装置のコストをさらに下げることができる。
【００１３】
そして、連結部材は戸当たり部を有するので、収納本体の前側開口を開閉する扉が閉じ位置にあるときに、その扉の下端部に連結部材の戸当たり部が当接するようになり、経年変化等により扉に反りが生じた場合でも、扉が本来の閉じ位置から変位し難くなり、左右両開きの扉でも互いにずれることがなく、収納装置の外観見映えを安定して良好に維持することができる。
【００１４】
第２の発明は、第１の発明において、連結部材は、側板の前端面に当接する縦片と、側板の下端面に当接する横片とを有する断面Ｌ字状の長尺部材であり、縦片及び横片の少なくとも一方が側板に固定され、縦片の前面に戸当たり部が形成されていることを特徴とする。
【００１５】
この第２の発明では、連結部材は縦片及び横片を有する断面Ｌ字状の長尺部材であり、その縦片が側板の前端面に、また横片が側板の下端面にそれぞれ当接して、それらの少なくとも一方が側板に固定されているので、連結部材が側板の前側下端の角部に被さるように当接して固定される。このことで、断面Ｌ字状の形状によって連結部材の曲がり強度が大きくなるとともに、側板間を連結する強度も大きくなり、収納本体の剛性を増大させることができる。
【００１６】
また、連結部材の縦片の前面に戸当たり部が形成されているので、その縦片自体をそのまま戸当たり部とすればよく、戸当たり部の形成が容易となる。
【発明の効果】
【００１７】
以上説明した如く、本発明によると、収納装置における底板のない収納本体の左右側板の下端部前端間に亘って連結部材を架け渡して固定し、その連結部材に、閉じ位置にある扉の下端部に当接可能な戸当たり部を設けたことにより、底板のない収納本体の剛性を連結部材によって確保することができるとともに、高コストの固定金具を用いずとも済み、底板の材料費等の低減と相俟って収納装置のコストダウンを図ることができる。また、扉の下端部に連結部材の戸当たり部を当接させることができ、経年変化等により扉に反りが生じた場合でも、扉の本来の閉じ位置からの変位を抑制して、その外観見映えを安定して良好に維持することができる。
【図面の簡単な説明】
【００１８】
【図１】図１は、本発明の実施形態に係る収納装置の正面図である。
【図２】図２は、収納装置の分解斜視図である。
【図３】図３は、収納本体の正面図である。
【図４】図４は、連結部材の斜視図である。
【図５】図５は、図４のＶ−Ｖ線拡大断面図である。
【図６】図６は、連結部材の取付構造を拡大して示す側面図である。
【発明を実施するための形態】
【００１９】
以下、本発明の実施形態を図面に基づいて詳細に説明する。以下の実施形態の説明は、本質的に例示に過ぎず、本発明、その適用物或いはその用途を制限することを意図するものでは全くない。
【００２０】
図１及び図２は本発明の実施形態に係る収納装置Ａを示し、この壁面収納装置Ａは、例えば玄関等において収納のために使用される。尚、以下の説明では、「左」は収納装置Ａを前側（後述の扉１３，１４側）から見て左側を言い、「右」は同様に見て右側を言うこととする。
【００２１】
収納装置Ａは、例えば木質材料からなる収納本体１（収納装置本体）と左右の扉１３，１４とを備えている。図３にも示すように、収納本体１は左右の側板３，４、天板６及び背板７，７（裏板）を備えた矩形箱形状を有し、例えば天板６は両側板３，４に対し、左端面が左側板３の上端部右側面に、また右端面が右側板４の上端部左側面にそれぞれ当接した状態でダボやビス等により固定されている。収納本体１の内部には、左右の側板３，４間で左右中間の位置に上下方向の仕切板９が配置され、仕切板９の上端面は天板６下面に当接してダボやビス等により固定されており、この仕切板９により収納本体１の内部空間が左右２つの空間に仕切られている。
【００２２】
さらに、これら２つの空間内の後端部にはそれぞれ上記背板７，７が左右に分かれた状態で嵌め込まれ、各背板７は側板３，４及び仕切板９に一体的に固定されている。具体的には、図示しないが、例えば各背板７は、左右端部が側板３，４及び仕切板９の後端部の内面（左右対向面）にある嵌合溝に、また上端部が天板６後端部の内面（下面）にある嵌合溝にそれぞれ嵌合されて接着固定されている。
【００２３】
収納本体１の左右の空間の内部には、その上部寄りの位置に固定棚１１，１１が互いに同じ高さ位置に配置され、各固定棚１１の左右端部は側板３，４及び仕切板９にダボやビス等により固定されている。
【００２４】
このような構造により、収納本体１は底板がなくて前側だけでなく下側にも開口しており、底板レスとなっている。
【００２５】
尚、図示しないが、収納本体１の側板３，４及び仕切板９にはそれぞれ高さ位置の異なる多段のダボ穴が形成されており、この同じ高さ位置のダボ穴にダボを嵌合して、そのダボ上に空間内に位置する可動棚を左右端部で載置支持できるようになっている。
【００２６】
また、側板３，４、天板６、仕切板９及び背板７の接続構造は上記説明の例に限定されない。
【００２７】
上記左右の扉１３，１４は、収納本体１の前側の開口を開閉する左右両開きの揺動型のもので、左扉１３は、左端部が収納本体１の左側板３における右側面（収納本体１内面）に上下複数の丁番１６，１６，…（図１及び図３で仮想線にて示す）により揺動可能に支持されていて、収納本体１内の仕切板９左側の空間における前側開口を開閉する。一方、右扉１４も、右端部が収納本体１の右側板４における左側面（収納本体１内面）に上下複数の丁番１６，１６，…（図１及び図３で仮想線にて示す）により揺動可能に支持されて、収納本体１内の仕切板９右側の空間における前側開口を開閉するようになっている。
【００２８】
各扉１３，１４前面の揺動端側にはハンドル１８が取り付けられており、各扉１３，１４を開くときに、このハンドル１８に手を掛けて開くようにしている。
【００２９】
本発明の特徴として、収納本体１における上記左右の側板３，４の下端部の前端間には連結部材２０（収納装置用連結部材）が側板３，４の下端部間に亘って延びるように架け渡され、この連結部材２０の端部は側板３，４の下端部に、また中間部は仕切板９の下端部にそれぞれ固定されている。
【００３０】
図４及び図５に示すように、上記連結部材２０は、縦片２０ａと横片２０ｂとを有する断面Ｌ字状のアルミニウムの押出成形材からなる１本の長尺部材であり、縦片２０ａは後面（内面）で側板３，４及び仕切板９の前端面（前側木口面）に当接し、横片２０ｂは上面（内面）で側板３，４及び仕切板９の下端面（下側木口面）に当接するようになっている。この連結部材２０は、アルミニウムの押出成形材の他に樹脂等の押出成形材であってもよく、さらには押出成形材以外のものであってもよいが、安価で軽量という点でアルミニウムの押出成形材が好ましい。
【００３１】
連結部材２０の両端部及び中間部における縦片２０ａ及び横片２０ｂにはそれぞれ少なくとも１つ（図示例では２つ）のビス孔２２，２２が貫通形成されており、図６に示すように、縦片２０ａの後面を側板３，４及び仕切板９の前端面に、また横片２０ｂの上面を側板３，４及び仕切板９の下端面にそれぞれ当接させた状態で、ビスｖを各ビス孔２２に挿通させて側板３，４及び仕切板９にねじ込むことにより、縦片２０ａ及び横片２０ｂの両方が側板３，４及び仕切板９に固定されるようになっている。この連結部材２０の取付けは、収納本体１に対する扉１３，１４の取付支持の前に行うのが好ましいが、その扉１３，１４の取付支持の後に行ってもよい。
【００３２】
そして、上記連結部材２０は、閉じ位置にある上記左右の扉１３，１４の下端部に当接可能な戸当たり部２４を有し、この戸当たり部２４は縦片２０ａの前面に形成されている。また、連結部材２０は、その縦片２０ａ前面を含む外表面全体（縦片２０ａ及び横片２０ｂの外表面）に化粧処理が施され、この化粧処理は収納本体１の他の部分である側板３，４、天板６、仕切板９等と同じ色柄模様（木目模様）とされている。この化粧処理は、例えば色柄模様を印刷した化粧シートを連結部材２０表面にラッピングして接着すること等によって行うことができ、或いは塗装やその他の処理によってもよい。尚、連結部材２０の縦片２０ａを貫通するビスｖの頭部は、縦片２０ａ前面の戸当たり部２４よりも突出していてもよく、戸当たり部２４に扉１３，１４が当接するようにするためにビスｖの頭部をビス孔２２に入り込んだ状態にしてもよい。
【００３３】
したがって、この実施形態においては、収納装置Ａの収納本体１は前側及び下側に開口していて、底板がないので、その内部空間を高い自由度で使用することができ、例えばベビーカーやゴルフバッグ等の背の高い縦長の物品であっても容易に収納することができる。また、底板がないことから、その材料費等を抑えて収納装置Ａのコストダウンを図ることができる。しかも、底板がないので、収納本体１の床との間が開放され、底板がある場合に比べて、例えば収納本体１内下部の後側左右隅部（側板３，４と背板７との交わる隅部）等の掃除がし易くなる。
【００３４】
また、収納本体１の左右の側板３，４の下端部の前端間がそれらに亘って延びる連結部材２０により連結され、その連結部材２０は側板３，４の下端部に固定されているので、左右の側板３，４は天板６及び背板７で連結されるだけでなく、下部の前端部で連結部材２０によっても連結される。そのため、収納本体１は、底板がなくても全体として底板があるのと同等の強度が得られるようになり、その剛性を確保することができる。
【００３５】
しかも、連結部材２０は縦片２０ａ及び横片２０ｂを有する断面Ｌ字状の長尺部材であり、その縦片２０ａが側板３，４及び仕切板９の前端面に、また横片２０ｂが側板３，４及び仕切板９の下端面にそれぞれ当接して、それらが側板３，４にビスｖにより固定されているので、連結部材２０が側板３，４及び仕切板９の前側下端の角部に被さるように当接して固定される。このことで、断面Ｌ字状の形状によって連結部材２０の曲がり強度が大きくなって、側板３，４間を連結する強度も大きくなり、収納本体１の剛性をより一層増大させることができる。
【００３６】
また、収納本体１の内部に仕切板９が配置され、その仕切板９に連結部材２０の左右中間部が固定されているので、仕切板９は連結部材２０によって左右の側板３，４に固定されるようになり、仕切板９を有する底板レスの収納本体１であっても、その剛性を高くすることができる。
【００３７】
そして、このような底板レスの収納本体１の剛性を確保するために連結部材２０を用いるので、従来の特殊で高コストの固定金具を用いずとも済み、その分、収納装置Ａのコストをさらに下げることができる。
【００３８】
そして、連結部材２０は戸当たり部２４を有するので、収納本体１の前側開口を開閉する扉１３，１４が閉じ位置にあるときに、その扉１３，１４の下端部に連結部材２０の戸当たり部２４が当接するようになり、経年変化等により扉１３，１４に反りが生じた場合でも、扉１３，１４が本来の閉じ位置から変位し難くなり、左右両開きの扉１３，１４が互いにずれることもなく、収納装置Ａの外観見映えを安定して良好に維持することができる。また、戸当たり部２４は連結部材２０の縦片２０ａの前面に形成されているので、その縦片２０ａ自体がそのまま戸当たり部２４となり、戸当たり部２４の形成が容易となる。
【００３９】
さらに、連結部材２０は、アルミニウムの押出成形材からなるので、軽量で高い強度を有する断面Ｌ字状の連結部材２０を容易に形成することができる。
【００４０】
また、連結部材２０の縦片２０ａ前面を含む外表面全体に化粧処理が施されているので、この連結部材２０に施された化粧処理により、収納装置Ａを前側から見たときの美観性を良好に保つことができる。特に、その化粧処理が収納本体１や扉１３，１４と同等で、例えば収納本体１や扉１３，１４と同様の木目模様であり、連結部材２０が木製の底板に見えて収納本体１や扉１３，１４との一体感が高くなり、美観性がさらに良くなる。
【００４１】
（その他の実施形態）
本発明は上記実施形態に限定されず、種々の他の実施形態を含むものである。例えば、上記実施形態では、固定棚１１は収納本体１内の上部寄り位置に設けているが、その位置は限定されず、他の高さ位置に設けることもできる。本発明でいう「底板レス」や「底板がない」とは、固定棚１１があっても、その固定棚１１が下端部に設けられて底板と同じ構造でなければよい。また、固定棚１１の高さ位置が高いほど連結部材２０の連結効果が高くなる。さらに、固定棚１１を設けることは必須でなく、固定棚１１はなくてもよい。
【００４２】
また、上記実施形態では、左右の側板３，４間に架け渡される連結部材２０を１本の長尺部材からなし、その中間部を仕切板９に固定しているが、同様の連結部材２０を左右の中間部の仕切板９の位置で分割して、その各分割部をそれぞれ仕切板９と側板３，４との間に架け渡して固定してもよく、この場合であっても、連結部材２０は中間部で仕切板９に固定されている構造とする。
【００４３】
また、上記実施形態は、仕切板９が１枚の場合であるが、仕切板９は２枚以上であってもよく、或いはなくてもよい。
【００４４】
上記実施形態では、連結部材２０の縦片２０ａ及び横片２０ｂが共に側板３，４及び仕切板９に固定されているが、縦片２０ａ及び横片２０ｂの一方を側板３，４及び仕切板９に固定するようにしてもよい。しかし、高い連結強度を得るためには連結部材２０を縦片２０ａ及び横片２０ｂで固定するのが好ましい。
【００４５】
上記実施形態では、連結部材２０の外表面全体に化粧処理が施されているが、縦片２０ａ前面のみに化粧処理を施すようにしてもよい。
【００４６】
上記実施形態では、収納装置Ａは左右両開きの扉１３，１４を備えているが、片開きの揺動型の扉であってもよい。また、扉はハンドルのないハンドルレス仕様のものであってもよい。
【００４７】
上記実施形態では、連結部材２０は断面Ｌ字状のものであるが、他の断面形状のものであってもよく、要は閉じ位置にある扉１３，１４の下端部に当接可能な戸当たり部が設けられていればよい。
【産業上の利用可能性】
【００４８】
本発明は、底板レスの収納装置の剛性を低コストで増大させることができ、扉の反りによる外観見映えの低下も抑制できるので、極めて有用で産業上の利用可能性が高い。
【符号の説明】
【００４９】
Ａ  収納装置
１  収納本体
３  左側板
４  右側板
６  天板
７  背板
９  仕切板
１３  左扉
１４  右扉
２０  連結部材
２０ａ  縦片
２０ｂ  横片
２４  戸当たり部
【図１】
2020108706.tif 000003
【図２】
2020108706.tif 000004
【図３】
2020108706.tif 000005
【図４】
2020108706.tif 000006
【図５】
2020108706.tif 000007
【図６】
2020108706.tif 000008